(57)【要約】【課題】箱状部に対するタブの侵入を確実に防止する。【解決手段】端子金具１０は、角筒状をなす箱状部１２と、箱状部１２の前端から前方に突出するタブ１１と、箱状部１２の後方に間隔を空けて配されて電線３０が圧着される圧着部１４とを備える。箱状部１２には、その箱状部１２を構成する上面壁２３（壁部）から斜め後方へ片持ち状に延出した形態の侵入防止壁２６が形成されている。【選択図】図１
2011222209.tif 000002
【特許請求の範囲】
【請求項１】
角筒状をなす箱状部と、
前記箱状部の前端から前方に突出するタブと、
前記箱状部の後方に間隔を空けて配されて電線が圧着される圧着部とを備えた端子金具において、
前記箱状部には、その箱状部を構成する壁部から斜め後方へ片持ち状に延出した形態の侵入防止壁が形成されていることを特徴とする端子金具。
【請求項２】
前記侵入防止壁の延出端は、前記箱状部のうち前記壁部と対向して配置された別の壁部に対し、当接又は前記タブの厚さ寸法よりも小さい間隔を空けて対向していることを特徴とする請求項１記載の端子金具。
【請求項３】
前記箱状部には、コネクタハウジングのキャビティに挿入された状態において抜止め用のランスを係止させるための係止孔が、前記壁部の一部を切り起こして開口させることによって形成されており、
前記侵入防止壁は、前記係止孔の開口領域に相当する切起片を曲げ加工して形成されていることを特徴とする請求項１又は請求項２記載の端子金具。
【発明の詳細な説明】
【技術分野】
【０００１】
本発明は、先端にタブを有する雄形の端子金具に関するものである。
【背景技術】
【０００２】
特許文献１には、先端にタブを有する雄形の端子金具が開示されている。この端子金具は、タブの後端に連なる角筒状の箱状部と、箱状部の後方に配されたオープンバレル状の圧着部とを備えている。箱状部の後端は開放されているため、複数の端子金具を束ねて運搬又は保管する際に、別の端子金具のタブが後方から箱状部内に侵入することが懸念される。このようになると、タブが抜けなくなったり、タブや箱状部が変形する等の虞があるため、その対策として、特許文献１の端子金具では、箱状部の後面の開口を塞ぐように侵入防止壁を設けている。
【先行技術文献】
【特許文献】
【０００３】
【特許文献１】特開２００２−３４３４７６号公報
【発明の概要】
【発明が解決しようとする課題】
【０００４】
上記の端子金具では、箱状部を構成する上面壁の後端縁から板状部を延出させ、その板状部をほぼ直角に曲げ加工することによって侵入防止壁が形成されている。ところが、箱状部の後方には圧着部に接続された電線が存在するので、タブの先端は、侵入防止壁に対して、直角にできなく、斜めに当たって押圧することになる。このとき、タブの先端は、上面壁側ではなく、侵入防止壁の延出端側を向くので、侵入防止壁の後面に沿ってその延出端側へ滑るように移動することになる。この侵入防止壁の延出端部は、他の部位によって支承されない自由端となっているので、侵入防止壁は、タブからの押圧力によって斜め前方へ変形させらてしまい、その結果、タブが箱状部内に侵入してしまう虞がある。
【０００５】
本発明は上記のような事情に基づいて完成されたものであって、箱状部に対するタブの侵入を確実に防止することを目的とする。
【課題を解決するための手段】
【０００６】
上記の目的を達成するための手段として、請求項１の発明は、角筒状をなす箱状部と、前記箱状部の前端から前方に突出するタブと、前記箱状部の後方に間隔を空けて配されて電線が圧着される圧着部とを備えた端子金具において、前記箱状部には、その箱状部を構成する壁部から斜め後方へ片持ち状に延出した形態の侵入防止壁が形成されているところに特徴を有する。
【０００７】
請求項２の発明は、請求項１に記載のものにおいて、前記侵入防止壁の延出端は、前記箱状部のうち前記壁部と対向して配置された別の壁部に対し、当接又は前記タブの厚さ寸法よりも小さい間隔を空けて対向しているところに特徴を有する。
【０００８】
請求項３の発明は、請求項１または請求項２に記載のものにおいて、前記箱状部には、コネクタハウジングのキャビティに挿入された状態において抜止め用のランスを係止させるための係止孔が、前記壁部の一部を切り起こして開口させることによって形成されており、前記侵入防止壁は、前記係止孔の開口領域に相当する切起片を曲げ加工して形成されているところに特徴を有する。
【発明の効果】
【０００９】
＜請求項１の発明＞
別の端子金具のタブが、箱状部に対して斜め後方から接近して侵入防止壁に当接すると、そのタブは、侵入防止壁上をその基端部に向かって斜め前方へ滑る。侵入防止壁の基端部は、壁部に連なっていて剛性が高いので変形を生じ難く、タブのそれ以上の侵入が確実に防止される。
【００１０】
＜請求項２の発明＞
箱状部に対するタブの接近経路が、侵入防止壁の延出端の近傍を指向する向きである場合、侵入防止壁の延出端と、箱状部のうち壁部と対向配置された別の壁部との隙間にタブが潜り込むことが懸念される。しかし、侵入防止壁の延出端は、別の壁部に対し当接又はタブの厚さ寸法よりも小さい間隔を空けて対向しているので、タブの潜り込みが防止される。
【００１１】
＜請求項３の発明＞
係止孔とは別の部分を切り起こし、その切起片によって侵入防止壁を形成した場合、箱状部には係止孔とは別の開口が空き、箱状部の強度低下を招くことが懸念される。その点、本発明では、係止孔を開口させるために切り起こした切起片を利用して侵入防止壁を形成しているから、係止孔とは別の開口を空けずに済む。したがって、侵入防止壁を形成することに起因する箱状部の強度低下が防止される。
【図面の簡単な説明】
【００１２】
【図１】実施形態１の端子金具の一部切欠側面図
【図２】端子金具をコネクタハウジングに挿入した状態をあらわす断面図
【図３】端子金具の側面図
【図４】端子金具の平面図
【図５】図３のＸ−Ｘ線拡大断面図
【発明を実施するための形態】
【００１３】
＜実施形態１＞
以下、本発明を具体化した実施形態１を図１乃至図５を参照して説明する。本実施形態の端子金具１０は、全体として前後方向に細長く、先端部にタブ１１を有する雄形の端子である。端子金具１０は、所定の形状に打ち抜いた金属板材に曲げ加工等を施して成形されたものであり、角筒状をなす箱状部１２と、箱状部１２の後端（図１〜図４における左側端部）に連なる連結部１３と、連結部１３の後端に連なるオープンバレル部の圧着部１４とを有し、タブ１１は、箱状部１２の前端から前方へ突出した形態となっている。
【００１４】
圧着部１４は、ワイヤバレル部１５Ｆと、ワイヤバレル部１５Ｆの後端に連なるインシュレーションバレル部１５Ｒとから構成され、ワイヤバレル部１５Ｆとインシュレーションバレル部１５Ｒは、いずれも、基板部１６の左右両側縁から一対のカシメ片１７を立ち上げた周知の形態である。ワイヤバレル部１５Ｆには、電線３０の前端部において露出された芯線３１がカシメ付けにより導通可能に固着され、インシュレーションバレル部１５Ｒには、電線３０のうち絶縁被覆３２で露出されている領域の前端部がカシメ付けにより固着されている。
【００１５】
連結部１３は、圧着部１４の基板部１６に連なる底壁部１８と、底壁部１８の左右両側縁から略直角に立ち上がってワイヤバレル部１５Ｆのカシメ片１７に連なる一対の側壁部１９とから構成されている。連結部１３の内部は、上面（底壁部１８及び基板部１６とは反対側の面）が開放されるとともに、後述する箱状部１２の内部空間に連通する連通空間２０となっている。
【００１６】
箱状部１２は、連結部１３の底壁部１８に連なる下面壁２１（本発明の構成要件である箱状部１２を構成する別の壁部）と、下面壁２１の左右両側縁から略直角に立ち上がる一対の側面壁２２と、一方の側面壁２２の上端縁（立ち上がり端縁）から下面壁２１と略平行に延出した上面壁２３（本発明の構成要件である箱状部１２を構成する壁部）とにより角筒状に構成されたものである。下面壁２１と上面壁２３と一方の側面壁２２は、タブ１１に連なっている。箱状部１２には、上面壁２３の一部を切り起こすことによって開口させた係止孔２４が形成されている。係止孔２４は、上面壁２３の外面（上面）と内面（下面）とを連通させた形態であり、この係止孔２４には、後述するランス４２が係止されるようになっている。
【００１７】
上面壁２３には、係止孔２４の形成に伴って係止孔２４の後側の開口縁（後縁）から片持ち状に延出した形態の切起片２５が、上面壁２３に対して曲げられた形態となるように形成されている。この切起片２５は、係止孔２４の開口領域にほぼ相当する略方形の板状をなし、別の端子金具１０のタブ１１が後方から箱状部１２内に深く侵入するのを阻止するための侵入防止壁２６として機能する。侵入防止壁２６は、その基端縁が係止孔２４の後縁において上面壁２３に支持されて（連なって）いて、係止孔２４の後縁から斜め下後方へ（つまり、侵入防止壁２６の形成母体である上面壁２３と対向する下面壁２１に向かって）片持ち状にほぼ平板状に延出している。
【００１８】
また、侵入防止壁２６の延出方向の寸法は、上面壁２３と下面壁２１との間の対向方向（上下方向）の間隔よりも大きく、侵入防止壁２６の延出端縁は、下面壁２１の上面（内面）に対して当接している。この当接位置は、箱状部１２の内部、即ち箱状部１２（上面壁２３）の後端縁よりも前方である。また、侵入防止壁２６の基端部（上端部）と上面壁２３とは、側方から見て鋭角に連なっている。
【００１９】
本実施形態の端子金具１０は、コネクタハウジング４０内に形成されたキャビティ４１内に後方から挿入されるようになっている。キャビティ４１には、その上壁面に沿って前方に片持ち状に延出した形態のランス４２が形成されている。ランス４２は、ランス４２自体の剛性によって常には図２に示す係止位置に保持されているが、係止位置からキャビティ４１の上方へ退避した係止解除位置へ弾性撓みし得るようになっている。そして、ランス４２の下面（内面）には係止突起４３が形成されている。キャビティ４１に端子金具１０が挿入する過程では、係止突起４３が箱状部１２の上面（外面）と干渉することによってランス４２が係止解除位置へ退避し、端子金具１０が正規の挿入状態になると、ランス４２が弾性復帰して係止突起４３が係止孔２４に係止し、この係止作用によって端子金具１０が抜止め状態に保持される。
【００２０】
また、係止突起４３は、係止孔２４のうち侵入防止壁２６が連なる後縁ではなく、侵入防止壁２６とは反対側の前縁に係止される。係止孔２４の後縁は、切起片２５（侵入防止壁２６）を曲げ加工しているために曲面状となっているので、係止突起４３を係止させても係止力が低い。これに対し、係止孔２４の前縁は、切起片２５（侵入防止壁２６）の形成の際に、プレスで打ち抜かれる部分であるから、エッジ状をなすので、係止突起４３を係止させたときの係止力が高くなっている。
【００２１】
次に、本実施形態の作用を説明する。複数の端子金具１０を束ねた状態で運搬したり保管している状態では、１つの端子金具１０の箱状部１２の連通空間２０に対し、その斜め上後方から別の端子金具１０のタブ１１が入り込み、そのタブ１１が箱状部１２の内部に侵入しようとすることがある。しかし、タブ１１が僅かに侵入したところで、タブ１１の先端が侵入防止壁２６の後面に当接するので、タブ１１のそれ以上の箱状部１２内への侵入が阻止される。
【００２２】
また、侵入防止壁２６は、上面壁２３に向かって斜め上前方に延びているので、侵入防止壁２６に当接したタブ１１は、侵入防止壁２６の後面上を斜め上前方に摺動する。この摺動により、侵入防止壁２６におけるタブ１１の当接位置が侵入防止壁２６の基端部（上面壁２３）に接近するのであるが、侵入防止壁２６の基端部は上面壁２３に連なっているので、侵入防止壁２６は、その基端部に近づくほど剛性が高くなる。したがって、侵入防止壁２６に対するタブ１１の押圧力が強くても、侵入防止壁２６が変形する虞がなく、タブ１１の箱状部１２内への侵入を確実に防止することができる。
【００２３】
また、タブ１１が、斜め上前方へ滑っていかずに、侵入防止壁２６の延出端部（自由端部）に当接した状態のままになった場合には、侵入防止壁２６がその基端部（つまり、上面壁２３に連なる基端縁）を支点として前方へ揺動するような変形を生じることが懸念される。しかし、本実施形態では、侵入防止壁２６の延出長さが上面壁２３と下面壁２１との対向間隔よりも長く、しかも、侵入防止壁２６の延出端縁が下面壁２１に当接しているので、侵入防止壁２６が前方へ揺動するように変形する虞はない。
【００２４】
また、箱状部１２に対するタブ１１の接近経路が、侵入防止壁２６の延出端の近傍を指向する向きである場合、侵入防止壁２６の延出端と下面壁２１との隙間にタブ１１が潜り込むことが懸念される。しかし、侵入防止壁２６の延出端は下面壁２１に当接していて、侵入防止壁２６の延出端縁と下面壁２１との間には隙間がないので、タブ１１が潜り込む虞はない。
【００２５】
また、係止孔２４とは別の部分を切り起こし、その切起片２５によって侵入防止壁２６を形成した場合、箱状部１２には係止孔２４とは別の開口が空き、箱状部１２の強度低下を招くことが懸念される。しかし本実施形態では、箱状部１２に、コネクタハウジング４０のキャビティ４１に挿入された状態において抜止め用のランス４２を係止させるための係止孔２４が、壁部の一部を切り起こして開口させることによって形成されていることに着目し、侵入防止壁２６を、係止孔２４の開口領域に相当する切起片２５を曲げ加工することによって形成している。つまり、係止孔２４を開口させるために切り起こした切起片２５を利用し、これを侵入防止壁２６として有効利用している。これにより、係止孔２４とは別の開口を空けずに済むので、侵入防止壁２６を形成することに起因する箱状部１２の強度低下が防止されている。
【００２６】
＜他の実施形態＞
本発明は上記記述及び図面によって説明した実施形態に限定されるものではなく、例えば次のような実施形態も本発明の技術的範囲に含まれる。
（１）上記実施形態では、侵入防止壁を、箱状部の上面壁（即ち、圧着部の基板部に連なる下面壁とは反対側の壁部）から延出する形態としたが、侵入防止壁は、箱状部の下面壁又は左右の側面壁から延出する形態としてもよい。
（２）上記実施形態では、箱状部に形成する侵入防止壁の数を１つとしたが、１つの箱状部に複数の侵入防止壁を形成してもよい。この場合、同一の壁部から複数の侵入防止壁を延出させてもよく、互いに異なる壁部から、夫々、別々に侵入防止壁を延出させてもよい。
（３）上記実施形態では、侵入防止壁の延出端を、上面壁と対向配置された下面壁に当接するようにしたが、侵入防止壁の延出端は、下面壁に対してタブの厚さ寸法よりも小さい間隔を空けて対向するようにしてもよい。
（４）上記実施形態では、侵入防止壁を、係止孔の形成に伴って発生した切起片を曲げ加工することによって形成したが、係止孔とは別の部分を切り起こし、その切起片によって侵入防止壁を形成してもよい。
【符号の説明】
【００２７】
１０…端子金具
１１…タブ
１２…箱状部
１４…圧着部
２１…下面壁（別の壁部）
２３…上面壁（壁部）
２４…係止孔
２５…切起片
２６…侵入防止壁
３０…電線
４０…コネクタハウジング
４１…キャビティ
４２…ランス
【図１】
2011222209.tif 000003
【図２】
2011222209.tif 000004
【図３】
2011222209.tif 000005
【図４】
2011222209.tif 000006
【図５】
2011222209.tif 000007